(57)【特許請求の範囲】
【請求項１】
内燃機関内の圧力を測定する圧力センサ、
前記内燃機関の回転角度に同期した、角度分解能が所望の角度分解能よりも低く、かつ一回転につき複数のパルスからなる同期パルスを生成する同期パルス生成部、および
前記圧力センサによる圧力測定値を前記所望の角度分解能を時間間隔に換算したときの該時間間隔よりも短い時間間隔でオーバサンプリングするオーバサンプリング部と、前記同期パルス生成部で生成された同期パルスのうちの連続する２つの同期パルスの時間間隔に基づいて、前記オーバサンプリング部でのオーバサンプリングにより得られた圧力データのうちの該連続する２つの同期パルスに挟まれた時間内の圧力データを前記所望の角度分解能に対応する圧力データにリサンプリングするリサンプリング部とを備えた圧力計測装置を有することを特徴とする内燃機関の圧力計測システム。
【請求項２】
内燃機関内の圧力を測定する圧力センサによる圧力測定値を、所望の角度分解能を時間間隔に換算したときの該時間間隔よりも短い時間間隔でオーバサンプリングするオーバサンプリング部と、
前記内燃機関の回転角度に同期した、角度分解能が前記所望の角度分解能よりも低く、かつ一回転につき複数のパルスからなる同期パルスを生成する同期パルス生成器で生成された同期パルスのうちの連続する２つの同期パルスの時間間隔に基づいて、前記オーバサンプリング部でのオーバサンプリングにより得られた圧力データのうちの該連続する２つの同期パルスに挟まれた時間内の圧力データを前記所望の角度分解能に対応する圧力データにリサンプリングするリサンプリング部とを備えたことを特徴とする内燃機関の圧力計測装置。
【発明の詳細な説明】
【技術分野】
【０００１】
本発明は、内燃機関の燃焼室の筒内圧を計測する圧力計測システムおよび圧力計測装置に関する。
【背景技術】
【０００２】
従来より内燃機関、例えば自動車用エンジンの内圧を計測することが行なわれている。通常、自動車用エンジンの出力軸にはリングギアが直結されており（例えば特許文献１参照）、そのリングギアに磁気センサを近接させ出力軸の回転に伴って回転するリングギアの歯数を計数すると出力軸の回転角度を検出することができる。そこで、従来は例えばこのリングギアを利用し、またエンジンに内圧計測用の圧力センサを設置し、リングギアに近接させた磁気センサにより生成されるパルスに同期させて圧力センサによる測定値をサンプリングすることで、回転角度に応じた圧力データを得ることが行なわれている。この圧力データを分析すると、例えばエンジンのある回転条件下で着火ミスが多いことなど、エンジンの様々な振る舞いを知ることができる。
【０００３】
図１はベンチ上での実験装置の一例を示した図である。
【０００４】
この図１には、ガソリンを燃料とするエンジン１０が示されており、このエンジン１０は、出力軸２０を介してモータ３０に接続されている。このモータ３０は、エンジン１０側に動力を与えるだけでなく、エンジン１０側からの動力で発電するダイナモの役割りも兼ねており、エンジン１０の負荷としても作用する。
【０００５】
この出力軸２０には、上述のリングギア１１が直結されている。このリングギア１１には、一周に１９３個の歯が形成されており、磁気センサ（図示せず）を近接させてこの歯の通過を検出すると、出力軸２０が１回転するごとに１９３個のパルス信号（１９３［Ｐ／Ｒ］）を得ることができる。
【０００６】
また、更に高い角度分解能を得るために、スリット円盤１２を取り付けることもある。このスリット円盤１２は、一回転につき７２０パルスの信号と回転角度の原点を知るための一回転につき１パルスの信号を出力するものである。このスリット円盤１２からの信号（７２０［Ｐ／Ｒ］のパルス信号）に同期した圧力データを生成すると、リングギア１１を用いたときよりも高い角度分解能の圧力データを得ることができ、それだけ高精度の分析が可能となる。
【０００７】
図１はベンチ上に設置した実験装置であるためリングギア１１を利用したりスリット円盤を取り付けたりすることが可能であるが、エンジン１０が実際の車に搭載された状態のまま圧力データを得ようとした場合に問題が生じる。すなわち、車のエンジンルームにはエンジンを含む様々なパーツがエンジンルーム内を埋めつくすように密に配置されており、また、出力軸が覆われていてボンネットを開いても出力軸に触れることができない車も多い。このため、実際の車に搭載された状態のエンジンから圧力データを得ようとするとき、リングギアを利用することやスリット円盤を取り付けることは多くの場合不可能である。
【０００８】
自動車用エンジンには、さらに欠け歯プレート（あるいはクランクシャフトタイミングローター）１３と呼ばれる、出力軸に直結された部品が存在する。
【０００９】
図２は欠け歯プレートの一例を示した図である。
【００１０】
この欠け歯プレート１３は、一周を３６等分した各角度位置に１つずつの歯を持ち、ただし、２つだけ歯が欠けた形状をした円盤である。
【００１１】
図１に戻って説明を続ける。
【００１２】
この欠け歯プレート１３の歯をピックアップした信号はＥＣＵ（Ｅｎｇｉｎｅ  Ｃｏｎｔｒｏｌ  Ｕｎｉｔ）１４に入力される。
【００１３】
このＥＣＵ１４は、エンジンの運転を総合的に電子制御するマイクロコントローラであり、欠け歯プレート１３からの信号は、例えば燃料噴射のタイミングや着火のタイミング等の制御に使われる。欠け歯プレート１３が歯が欠けた形状をしているのは、回転角度の原点を知るためである。
【００１４】
実際の車に搭載された状態のエンジン１０から圧力データを得ようとしたとき、リングギア１１やスリット円盤１２に代えて、この欠け歯プレート１３を利用することが考えられる。すなわち、この欠け歯プレート１３からＥＣＵ１４に向かう信号配線からそのパルス信号を分岐させることで、回転角度に同期したパルス信号を得ることができる。
【００１５】
しかしながら、この欠け歯プレート１３は、ＥＣＵ１４で必要なパルス信号を生成するための部品であって、圧力データを得る目的としては角度分解能が低過ぎる。このためここでは、この欠け歯プレート１３からのパルス信号に同期させるとともに、隣接するパルスどうしの時間間隔ΔＴを分割（ここでは一例として１０分割とする）した、ΔＴ／１０間隔でサンプリングすることを考える。しかしながら、隣接するパルスどうしの時間間隔ΔＴは、隣接する２つのパルスのうちの後の方のパルスが生成されたタイミングでしか分からず、これでは間に合わないため、例えば、ある２つのパルスどうしの時間間隔ΔＴ（ｔ）よりも１つ前のパルスどうしの時間間隔ΔＴ（ｔ−１）からΔＴ（ｔ−１）／１０がΔＴ（ｔ）／１０であると推定し、その推定されたΔＴ（ｔ）／１０＝ΔＴ（ｔ−１）／１０の時間間隔ごとにサンプリングを行なうことにする。この場合、ΔＴ（ｔ−１）＝ΔＴ（ｔ）であれば、すなわち定速運転であれば問題ないが、ΔＴ（ｔ−１）＞ΔＴ（ｔ）、すなわち加速運転や、ΔＴ（ｔ−１）＜ΔＴ（ｔ）、すなわち減速運転のときは、推定したΔＴ（ｔ）／１０（＝ΔＴ（ｔ−１）／１０）と実際のΔＴ（ｔ）／１０とが異なることになり、サンプルエラーが生じることになる。
【先行技術文献】
【特許文献】
【００１６】
【特許文献１】特開平９−３１７５５０号公報
【発明の概要】
【発明が解決しようとする課題】
【００１７】
本発明は、回転角度に同期した、角度分解能が所望の角度分解能よりも低い同期パルスに同期させ、かつ高精度のタイミングでサンプリングされた圧力データを得ることのできる内燃機関の圧力計測システムおよび圧力計測装置を提供することを目的とする。
【課題を解決するための手段】
【００１８】
上記目的を達成する本発明の内燃機関の圧力計測システムは、
内燃機関内の圧力を測定する圧力センサ、
前記内燃機関の回転角度に同期した、角度分解能が所望の角度分解能よりも低く、かつ一回転につき複数のパルスからなる同期パルスを生成する同期パルス生成部、および
前記圧力センサによる圧力測定値を前記所望の角度分解能を時間間隔に換算したときの該時間間隔よりも短い時間間隔でオーバサンプリングするオーバサンプリング部と、同期パルス生成部で生成された同期パルスのうちの連続する２つの同期パルスの時間間隔に基づいて、オーバサンプリング部でのオーバサンプリングにより得られた圧力データのうちの連続する２つの同期パルスに挟まれた時間内の圧力データを上記の所望の角度分解能に対応する圧力データにリサンプリングするリサンプリング部とを備えた圧力計測装置を有することを特徴とする。
【００１９】
また、上記目的を達成する本発明の内燃機関の圧力計測装置は、
内燃機関内の圧力を測定する圧力センサによる圧力測定値を、所望の角度分解能を時間間隔に換算したときの該時間間隔よりも短い時間間隔でオーバサンプリングするオーバサンプリング部と、
前記内燃機関の回転角度に同期した、角度分解能が前記所望の角度分解能よりも低く、かつ一回転につき複数のパルスからなる同期パルスを生成する同期パルス生成器で生成された同期パルスのうちの連続する２つの同期パルスの時間間隔に基づいて、オーバサンプリング部でのオーバサンプリングにより得られた圧力データのうちの連続する２つの同期パルスに挟まれた時間内の圧力データを上記の所望の角度分解能に対応する圧力データにリサンプリングするリサンプリング部とを備えたことを特徴とする。
【発明の効果】
【００２０】
内燃機関の圧力計測にあたっては、回転角度に同期した圧力データを得ることが必須である。回転角度に同期した圧力データを得るということは、低速回転ではゆっくりとサンプリングし、高速回転では高速にサンプリングし、加速や減速のときは、それに合わせてサンプリング間隔を徐々に変えていくことを意味している。このため従来は、内燃機関の圧力計測にあたっては、ベンチ上ではわざわざ円盤スリットを取り付けるなど、高分解能な角度データを得て、その角度データに同期した圧力データを得ることに目が向いている。
【００２１】
本発明は、一旦は回転角度との同期から離れて、時間軸上で等間隔となるようにオーバサンプリングして圧力データを得、その圧力データを、回転角度と同期した同期パルスに基づいて所望の角度分解能に対応する圧力データにリサンプリングするものであり、これにより、所望の角度分解能よりも低い角度分解能の同期パルスしか得られない場合であっても、所望の角度分解能であって、かつ回転角度に高精度に同期した圧力データを得ることができる。
【図面の簡単な説明】
【００２２】
【図１】ベンチ上での実験装置の一例を示した図である。
【図２】欠け歯プレートの一例を示した図である。
【図３】本発明の一実施形態としての圧力計測装置を含む、本発明の一実施形態としての圧力計測システムを示すブロック図である。
【図４】図３に示すオーバサンプリング部４１０およびリサンプリング部４３０の作用を、比較例とともに示した図である。
【発明を実施するための形態】
【００２３】
以下本発明の実施の形態を説明する。
【００２４】
図３は、本発明の一実施形態としての圧力計測装置を含む、本発明の一実施形態としての圧力計測システムを示すブロック図である。
【００２５】
この図３に示す圧力計測システム１００は、圧力センサ２００と、同期パルス生成部３００と、圧力計測装置４００とから構成されている。圧力センサ２００は、自動車用のエンジン１０（図１参照）のシリンダ内の圧力を検出するセンサである。この種の圧力センサとして、エンジン１０の点火プラグに組み込まれたタイプの圧力センサも存在する。また、エンジンに穴を開け、圧力センサを、その検出面がシリンダ内壁と同一面を成すように挿入して固定することも行なわれている。ここでは、この圧力センサ２００は、その具体的な形状等を問うものではなく、シリンダ内の圧力を必要な応答速度で検出することができる圧力センサであればよい。
【００２６】
また、同期パルス生成部３００は、本実施形態では、欠け歯プレート１３とその欠け歯プレートの歯を検出するセンサ（例えば磁気センサや光電センサなど）１５とから構成されている。このセンサ１５からの出力パルスはエンジン１０の回転角度に同期した同期パルスである。ただし前述の通り２歯分だけパルスが欠けている。このセンサ１５で検出される同期パルスは本来はＥＣＵ１４で使うための信号であってＥＣＵ１４に伝達される。ここでは、そのＥＣＵ１４に伝達される同期パルスを分岐させてこの圧力計測システム１００用の同期パルスとして使用している。
【００２７】
この欠け歯プレート１３とセンサ１５との組合せで構成される同期パルス生成部３００では、エンジン１０の回転角度には同期しているものの、角度分解能に関しては、所望の角度分解能（例えば１．０度など）よりも低い同期パルスが生成される。
【００２８】
また、この圧力計測システム１００を構成する圧力計測装置４００は、オーバサンプリング部４１０と、第１のメモリ部４２０と、リサンプリング部４３０と、第２のメモリ部４４０と、演算部４５０とを有する。
【００２９】
オーバサンプリング部４１０では、圧力センサ２００による圧力測定値が、所望の角度分解能（例えば１．０度）を時間間隔に換算したときのその時間間隔よりも短い時間間隔、例えば、サンプリング周波数１ＭＨＺに対応する１／１０６ｓｅｃの時間間隔でオーバサンプリングされる。
【００３０】
このオーバサンプリング部４１０でのサンプリングにより生成された圧力データは、一旦、第１のメモリ部４２０に格納される。
【００３１】
リサンプリング部４３０には、同期パルス生成部３００で生成された同期パルスが入力される。このリサンプリング部では、その同期パルスに基づいて、オーバサンプリング部４１０でのオーバサンプリングにより得られて第１のメモリ部４２０に書き込まれている圧力データが、所望の角度分解能（例えば１．０度）に対応する圧力データにリサンプリングされる。このリサンンプリング部４３０よりリサンプリングされた圧力データは、一旦第２のメモリ部４４０に格納される。その後、演算部４５０では、第２のメモリ部４４０に格納されている圧力データに基づいて、例えば、着火ミスの解析やＩＭＥＰ（平均有効圧）の解析など、エンジン１０の振る舞いについての様々な解析が行なわれる。
【００３２】
図４は、図３に示すオーバサンプリング部４１０およびリサンプリング部４３０の作用を、比較例とともに示した図である。
【００３３】
図４（Ａ）は、同期パルス生成部３００で生成された同期パルスａ１，ａ２，ａ３を示している。
【００３４】
ここでは、互いに隣接する、同期パルスａ１と同期パルスａ２との間の時間間隔をΔＴ（ｔ−１）、同期パルスａ２と同期パルスａ３との間の時間間隔をΔＴ（ｔ）とする。この図４は、加速中の状態を示しており、ΔＴ（ｔ−１）＞ΔＴ（ｔ）である。
【００３５】
ここでは、同期パルスａ２と同期パルスａ３との間を１０等分した各時刻にサンプリングしようとしている。
【００３６】
図４（Ｂ）は比較例としてのサンプリングタイムを示している。ここでは、同期パルスａ２を起点とし、１つ前の同期パルスａ１，ａ２の時間間隔ΔＴ（ｔ−１）を１０等分した各時刻ｂ０，ｂ１，ｂ２，・・・，ｂ１０で圧力測定値をサンプリングしている。しかしながらこの場合、ΔＴ（ｔ−１）＞ΔＴ（ｔ）であるため、時刻ｂ１０は、同期パルスａ３と重なった時刻ではなく、それよりも遅れた時刻となっている。このように、図４（Ｂ）の比較例の場合、ΔＴ（ｔ−１）とΔＴ（ｔ）とが異なる場合、すなわち加速や減速の場面では、サンプルエラーが発生する。
【００３７】
図４（Ｃ）は本実施形態を示しており、オーバサンプリング部４１０では、短い時間間隔、すなわち高いサンプリング周波数（例えば１．０ＭＨＺ）での各時刻ｃ０，ｃ１，ｃ２，ｃ３，・・・の圧力計測値がサンプリングされる。リサンプリング部４３０では、同期パルスａ２と同期パルスａ３の各タイミングからそれらの同期パルスａ２，ａ３の時間間隔ΔＴ（ｔ）が計測され、ΔＴ（ｔ）／１０の各時刻が算出され、オーバサンプリング部４１０で各時刻ｃ１，ｃ２，ｃ３，・・・ごとのサンプリングにより得られた圧力データの中からΔＴ（ｔ）／１０の各時刻に最も近い時刻ｄ０＝ｃ０，ｄ１＝ｃ３，・・・にサンプリングされた各圧力データが抽出される。
【００３８】
したがって、図４（Ｃ）に示す本実施形態の場合、サンプルエラーが生じることはなく、また、オーバサンプリング部４１０で十分高速なサンプリングを行なうことにより、必要な高精度を保った各時刻ｄ０，ｄ１，ｄ２，・・・ごとの圧力データが得られる。
【００３９】
オーバサンプリングされた圧力データからΔＴ（ｔ）／１０の各時刻に最も近い時刻の圧力データを選ぶだけではリサンプリングの時刻のばらつきが大きいときは、オーバサンプリングされた圧力データに基づく補間演算処理により、ΔＴ（ｔ）／１０の各時刻のサンプリングデータを算出してもよい。
【００４０】
本実施形態では、以上のように、オーバサンプリングとリサンプリングとを行なう構成により、角度分解能が所望の角度分解能よりも低い同期パルスを用いて、所望の角度分解能で高精度にサンプリングされた圧力データを得ることができる。
【符号の説明】
【００４１】
１０        エンジン
１１        リングギア
１２        スリット円盤
１３        欠け歯プレート
１４        ＥＣＵ
１５        センサ
２０        出力軸
１００        圧力計測システム
２００        圧力センサ
３００        同期パルス生成部
４００        圧力計測装置
４１０        オーバサンプリング部
４２０        第１のメモリ部
４３０        リサンプリング部
４４０        第２のメモリ部
４５０        演算部
【図１】
0005653331.tif 000002
【図２】
0005653331.tif 000003
【図３】
0005653331.tif 000004
【図４】
0005653331.tif 000005